【手続補正書】
【提出日】平成23年2月26日(2011.2.26)
【手続補正１】
【補正対象書類名】特許請求の範囲
【補正対象項目名】全文
【補正方法】変更
【補正の内容】
【特許請求の範囲】
【請求項１】
複数の層を含む光記録可能な媒体であって、前記複数の層が、
前記光記録可能な媒体に適切な剛性を与えるのに十分な構造支持層と、
既にアブレーションを施されたデータ点に対応する１個以上の部分を含むアブレーション可能データ層であって、前記データ点が、前記アブレーション可能な層に記録可能なデジタルデータに対応する、アブレーション可能データ層と
を含む媒体。
【請求項２】
前記アブレーション可能データ層が保護吸収層を含む、請求項１に記載の光記録可能な媒体。
【請求項３】
反射層を更に含む、請求項２に記載の光記録可能な媒体。
【請求項４】
前記保護吸収性のアブレーション可能なデータ層が前記反射層の上に配置されており、前記反射層が前記構造支持層の上に配置されている、請求項３に記載の光記録可能な媒体。
【請求項５】
保護層および反射層を更に含む、請求項１に記載の光記録可能な媒体。
【請求項６】
前記保護層が前記反射層の上に配置されており、前記反射層が前記アブレーション可能なデータ層の上に配置されており、前記アブレーション可能データ層が前記構造支持層の上に配置されている、請求項５に記載の光記録可能な媒体。
【請求項７】
底部からデジタルデータが読み出され、かつ記録される、請求項６に記載の光記録可能な媒体。
【請求項８】
吸収層を更に含む、請求項５に記載の光記録可能な媒体。
【請求項９】
光記録可能な媒体であって、
当該光記録可能な媒体に、適切な剛性を与えるように構成される第１層と、
第２層であって、アブレーションに曝されたデータ点に相当する当該第２層の１若しくはそれ以上の部分がアブレーション可能であるように構成されており、前記データ点は前記第２層に記録可能なデジタルデータに相当するものである、前記第２層と、
アブレーションの間、完全にアブレーションを施されていないアブレーション可能な物質を吸収するように構成された第３層と、
を含むものである、媒体。
【請求項１０】
前記第２層の上に更に保護層を含む、請求項９記載の光記録可能な媒体。
【請求項１１】
アブレーションエネルギーを反射するための反射性を与えるように構成されている、請求項９記載の光記録可能な媒体。
【請求項１２】
デジタル保存媒体であって、
少なくとも１つの第１の支持基板と、
前記基板上に支持されたデジタルデータ層と
を含み、
前記デジタルデータ層は、約１ナノメートル〜約３００ナノメートルの厚みを有し、レーザー或いは半導体レーザーによりアブレーションされる又はアブレーション可能なものである、媒体。
【請求項１３】
前記デジタルデータ層は、複数の強固に結合した炭素−炭素二重結合有する炭素、シリコン、及びガラスの少なくとも１つを有する、請求項１２記載のデジタル保存媒体。
【請求項１４】
前記デジタル保存媒体は、更に、前記デジタルデータ層に隣接した吸収層を含み、
前記吸収層は、アブレーションの間、完全にアブレーションされていないアブレーション可能な物質を吸収するように構成されているものである、請求項１２記載のデジタル保存媒体。
【請求項１５】
前記デジタル保存媒体は、更に、前記デジタルデータ層に隣接した剛性発泡構造を含む吸収層を含み、更に
前記吸収層は、アブレーションの間、完全にアブレーションされていないアブレーション可能な物質を吸収するように構成されたものである、請求項１２記載のデジタル保存媒体。
【請求項１６】
前記デジタル保存媒体は、更に、前記デジタルデータ層に隣接した吸収層を含み、
前記吸収層は、アブレーションの間、完全にアブレーションされていないアブレーション可能な物質を吸収するように構成されており、
前記吸収層はまた、保護層を含むものである、請求項１２記載のデジタル保存媒体。
【請求項１７】
前記デジタル保存媒体は、更に、前記デジタルデータ層に隣接した吸収層を含み、
前記吸収層は、アブレーションの間、完全にアブレーションされていないアブレーション可能な物質を吸収するように構成されており、
前記吸収層はまた、保護層を含むものであり、
前記吸収層はまた、当該吸収層がアブレーション可能な保護吸収層との組み合わせであるデータ層である、請求項１２記載のデジタル保存媒体。
【請求項１８】
前記デジタル保存媒体は、前記データ層中にアブレーション可能なシリコンを含むものである、請求項１２記載のデジタル保存媒体。
【請求項１９】
前記デジタル保存媒体は、前記データ層中にアブレーション可能なアルミニウムを含み、
前記アブレーション可能なアルミニウムは、コントラストを増大させるために、陽極酸化及び酸腐食することにより減光された、少なくとも１つのアブレーションされたピットを有するものである、請求項１２記載のデジタル保存媒体。
【請求項２０】
前記デジタル保存媒体は、前記データ層中にアブレーション可能なアルミニウムを含み、更に
前記アブレーション可能なアルミニウムは、１つの硬質であって、防御性があり、反射性のあるデータ層を形成するものである、請求項１２記載のデジタル保存媒体。
【請求項２１】
前記デジタル保存媒体は、前記データ層中にアブレーション可能なガラスを含むものである、請求項１２記載のデジタル保存媒体。
【請求項２２】
少なくとも１つの第２基板を更に有する、請求項１２記載のデジタル保存媒体であり、
前記データ層は、前記第１基板と前記第２基板との間に配置されたものである、媒体。
【請求項２３】
前記第１支持基板に支持された第１層と、
書き込み装置からのエネルギーを反射し、前記第１層上に支持された反射層と、
前記反射層上に支持された第２層と
を更に有する、請求項１２記載のデジタル保存媒体であって、
前記第１層及び第２層は、前記反射層と隣接しており、
前記反射層は、前記第１層と前記第２層とを接着させるものである、媒体。
【請求項２４】
前記デジタル保存媒体は、アブレーションにより形成される消去不可能な痕跡を含む永久的変化を前記媒体にもたらすように設計されており、
前記痕跡は永久的であり、何百年も読み取り可能なものである、請求項１２記載のデジタル保存媒体。
【手続補正２】
【補正対象書類名】明細書
【補正対象項目名】０００１
【補正方法】変更
【補正の内容】
【０００１】
コンピュータは、現代社会に導入されて以来着実に普及してきた。コンピュータおよび他の種類のデジタル電子機器により多くの作業が簡素化され、人々の生活は革新的に変化した。今日、携帯情報端末（ＰＤＡ）、携帯電話、デジタルカメラ、デジタルビデオレコーダ、デジタル音楽プレーヤ、および広範囲に張り巡らされたインターネット接続により、人々は以前にも増してより多くのデータを多様なデジタル媒体記憶装置に記録している。例えば、多くの人々が、ハードディスク、ＣＤ、ＤＶＤ、フラッシュドライブその他の種類のデジタル記憶媒体に記憶されたデジタル写真、ビデオ、楽曲、ウェブページ、テキストファイルおよびその他デジタルコンテンツを収集して保有している。
デジタルデータ記憶媒体には多くの利点がある。例えば、あらゆる種類のデジタル記憶媒体がデジタルファイルを完全に再生および記憶できる。このようなファイルは、データまたは品質を一切損なうことなく、各種のデジタル記憶媒体との間で容易に転送できる。デジタル記録可能媒体の別の顕著な利点として消費者への訴求力がある。フラッシュドライブからハードディスクおよび多層ＤＶＤに至る、ほとんど全ての種類のデジタル記憶媒体の容量が増大しており、しかも実質的に価格が下がっている。その結果、デジタル記憶装置は引き続き消費者の人気を博している。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正３】
【補正対象書類名】明細書
【補正対象項目名】０００２
【補正方法】変更
【補正の内容】
【０００２】
【特許文献１】  米国特許第４３８０７６９号明細書
【特許文献２】  米国特許第７００２８８７号明細書
【特許文献３】  米国特許第４６０３０９９号明細書
【特許文献４】  米国特許出願公開第２００３／００１２０９８号明細書
【特許文献５】  米国特許第４５７８６８４号明細書
【特許文献６】  米国特許第５５７２４９１号明細書
【特許文献７】  欧州特許出願公開第００２３８０９号明細書
【特許文献８】  米国特許第４５５１８２８号明細書
【特許文献９】  米国特許出願公開第２００６／１８２９２４号明細書
【特許文献１０】  欧州特許出願公開第１４３４２０７号明細書
【特許文献１１】  欧州特許出願公開第０１５０６０４号明細書
【特許文献１２】  米国特許第５５１０１６４号明細書
【特許文献１３】  欧州特許出願公開第１６５７０７１号明細書
【特許文献１４】  米国特許第５６２２８１６号明細書
【発明の概要】
【発明が解決しようとする課題】